(57)【要約】【課題】  記録メディアのレーベル印刷を行なう印刷システムにおいて、高画質印刷に関する使い勝手を向上させる。【解決手段】  少なくとも２通りの印刷モードでの印刷が可能な、記録メディアのレーベルに印刷を行なう印刷システムであって、印刷すべき画像についての印刷条件を受け付ける印刷設定画面であって、より高画質で印刷が行なわれる印刷モードを指定可能な領域を備えた印刷設定画面を表示する手段と、より高画質で印刷が行なわれる印刷モードでの印刷に対応するとされる記録メディアのリストを表示する手段とを備えることを特徴とする印刷システム。【選択図】  図４
2005085211.tif 000002
【特許請求の範囲】
【請求項１】
少なくとも２通りの印刷モードでの印刷が可能な、記録メディアのレーベルに印刷を行なう印刷システムであって、
印刷すべき画像についての印刷条件を受け付ける印刷設定画面であって、より高画質で印刷が行なわれる印刷モードを指定可能な領域を備えた印刷設定画面を表示する手段と、
より高画質で印刷が行なわれる印刷モードでの印刷に対応するとされる記録メディアのリストを表示する手段とを備えることを特徴とする印刷システム。
【請求項２】
少なくとも２通りの印刷モードでの印刷が可能な、記録メディアのレーベルに印刷を行なう印刷システムであって、
印刷すべき画像についての印刷条件を受け付ける印刷設定画面を表示する手段を備え、
前記印刷設定画面は、より高画質で印刷が行なわれる印刷モードに対応した選択肢と他の印刷モードに対応した選択肢とを選択可能な状態で表示する領域を備えることを特徴とする印刷システム。
【請求項３】
記録メディアのレーベルに印刷を行なう印刷装置に、印刷データを送信するプリンタホストであって、
少なくとも２通りの印刷モードに基づく印刷データを生成可能な印刷データ生成手段と、
印刷すべき画像についての印刷条件を受け付ける印刷設定画面であって、より高画質で印刷が行なわれる印刷モードを指定可能な領域を備えた印刷設定画面を表示する手段と、
より高画質で印刷が行なわれる印刷モードでの印刷に対応するとされる記録メディアのリストを表示する手段とを備えることを特徴とするプリンタホスト。
【請求項４】
記録メディアのレーベルに印刷を行なう印刷装置に、印刷データを送信するプリンタホストであって、
少なくとも２通りの印刷モードに基づく印刷データを生成可能な印刷データ生成手段と、
印刷すべき画像についての印刷条件を受け付ける印刷設定画面を表示する手段とを備え、
前記印刷設定画面は、より高画質で印刷が行なわれる印刷モードに対応した選択肢と他の印刷モードに対応した選択肢とを選択可能な状態で表示する領域を備えることを特徴とするプリンタホスト。
【請求項５】
記録メディアのレーベルに印刷を行なう印刷装置に印刷させるための画像データを生成する処理をコンピュータに実行させる印刷用ソフトウェアであって、
印刷すべき画像についての印刷条件を受け付ける印刷設定画面であって、通常よりも高画質で印刷が行なわれる印刷モードを指定可能な領域を備えた印刷設定画面を表示する処理と、
より高画質で印刷が行なわれる印刷モードでの印刷に対応するとされる記録メディアのリストを表示する処理とをコンピュータに実行させることを特徴とする印刷用ソフトウェア。
【請求項６】
前記リストの情報をコンピュータネットワークを介して取得する処理をさらにコンピュータに実行させることを特徴とする請求項５に記載の印刷用ソフトウェア。
【請求項７】
記録メディアのレーベルに印刷を行なう印刷装置に印刷させるための画像データを生成する処理をコンピュータに実行させる印刷用ソフトウェアであって、
印刷すべき画像についての印刷条件を受け付ける印刷設定画面であって、より高画質で印刷が行なわれる印刷モードに対応した選択肢と他の印刷モードに対応した選択肢とを選択可能な状態で表示する領域を備えた印刷設定画面を表示する処理と、
生成した画像データとともに、選択された印刷モードに対応する情報を出力する処理とをコンピュータに実行させることを特徴とする印刷用ソフトウェア。
【請求項８】
前記印刷設定画面は、より高画質で印刷が行なわれる印刷モードに対応した表示を指定可能な状態で表示する領域をさらに備えたことを特徴とする請求項７に記載の印刷用ソフトウェア。
【請求項９】
請求項８に記載の印刷用ソフトウェアであって、
前記より高画質で印刷が行なわれる印刷モードに対応した選択肢と他の印刷モードに対応した選択肢とを選択可能な状態で表示する領域と、前記より高画質で印刷が行なわれる印刷モードに対応した表示を指定可能な状態で表示する領域とにおいて、
より高画質で印刷が行なわれる印刷モードに対応した選択肢の選択と、より高画質で印刷が行なわれる印刷モードに対応した表示の指定とが連動することを特徴とする印刷用ソフトウェア。
【請求項１０】
請求項５〜９のいずれか一項に記載の印刷用ソフトウェアであって、
より高画質で印刷が行なわれる印刷モードで印刷が行なわれる際に、警告を通知する処理をさらにコンピュータに実行させることを特徴とする印刷用ソフトウェア。
【請求項１１】
前記印刷装置は、インクジェット式の印刷装置であることを特徴とする請求項５〜１０のいずれか１項に記載の印刷用ソフトウェア。
【請求項１２】
前記警告は、インクを十分乾燥させる旨および／またはインクが乾燥するまで前記記録メディアを駆動させない旨を含むことを特徴とする請求項１１に記載の印刷用ソフトウェア。
【請求項１３】
請求項５〜１２のいずれか一項に記載の印刷用ソフトウェアを記録したコンピュータ読み取り可能な記録媒体。
【発明の詳細な説明】
【技術分野】
【０００１】
本発明は、印刷システムに係り、特に、ディスク型の記録媒体に印刷を行なう印刷システムに関する。
【背景技術】
【０００２】
ディスク型の記録メディア、例えば、ＣＤ−Ｒ（CD Recordable）、あるいは、ＤＶＤ−Ｒ（DVD Recordable）等のレーベル面に直接印刷を行なうことが可能なプリンタが実用化されている。
【０００３】
このようなプリンタを制御するプリンタホスト上で、レーベル印刷を行なう画像の作成・編集、印刷条件の設定等を支援するためのレーベル印刷用アプリケーションソフトウェアが実用化されている。
【０００４】
レーベル印刷に好適に用いられるＣＤ−Ｒ等の記録メディアは、さまざまなメーカから出荷されているが、いずれのメディアのレーベル面にも、印刷媒体であるインク等を定着しやすく、また、発色をよくする等のために白色のコーティングが施されているのが一般的である。
【０００５】
このコーティングは、各メーカあるいは製品ごとに材料、塗布方法等が異なっており、印刷に用いるインク等との相性もそれぞれ異なる。このため、あるメディアではきれいに印刷できるのに、他のメディアではインクの定着があまりよくない場合等がある。
【発明の開示】
【発明が解決しようとする課題】
【０００６】
プリンタとプリンタホストから構成される印刷システムでは、一般に、多少印刷時間はかかっても高品質の印刷結果が得られる高画質モードと、印刷時間は短いが高画質モードに比べて印刷が粗くなる通常モードとを、ユーザの好みにより選択できるようになっている。
【０００７】
高画質モードでは、通常モードよりも多量のインクを用いて印刷が行なわれる。このため、印刷に用いるインク等との相性のよくないメディアを用いた場合に高画質モードで印刷を行なうと、インク等がにじんだりするおそれがある。
【０００８】
一方で、相性のよいメディアを用いた場合には、高画質モードで印刷を行なうことにより、高画質の印刷結果を得ることができる（このようなメディアを「高画質対応メディア」と称する）。
【０００９】
ところが、印刷に用いようとするＣＤ−Ｒ等の記録メディアが高画質対応メディアかどうかの判断は、ユーザにとって困難である。このため、この判断をユーザが簡易に行なえるようになれば便利である。また、印刷に用いようとするメディアが高画質対応メディアだった場合に、簡易に高画質モードで印刷を指示することができれば便利である。
【００１０】
本発明の目的は、記録メディアのレーベル印刷を行なう印刷システムにおいて、高画質印刷に関する使い勝手を向上させることにある。
【課題を解決するための手段】
【００１１】
上記課題を解決するための本発明の第１の態様として、
記録メディアのレーベルに印刷を行なう印刷装置に印刷させるための画像データを生成する処理をコンピュータに実行させる印刷用ソフトウェアであって、
印刷すべき画像についての印刷条件を受け付ける印刷設定画面であって、通常よりも高画質で印刷が行なわれる印刷モードを指定可能な領域を備えた印刷設定画面を表示する処理と、
より高画質で印刷が行なわれる印刷モードでの印刷に対応するとされる記録メディアのリストを表示する処理とをコンピュータに実行させることを特徴とする印刷用ソフトウェアが提供される。
【００１２】
本発明によれば、印刷に用いようとする記録メディアが、高画質印刷に対応しているかどうかユーザが簡易に確認することができるようになる。
【００１３】
このリストの情報をコンピュータネットワークを介して取得することが望ましい。これにより、ユーザは、最新の情報を取得することができるようになる。
【００１４】
また、上記課題を解決するための本発明の第２の態様として、
記録メディアのレーベルに印刷を行なう印刷装置に印刷させるための画像データを生成する処理をコンピュータに実行させる印刷用ソフトウェアであって、
印刷すべき画像についての印刷条件を受け付ける印刷設定画面であって、より高画質で印刷が行なわれる印刷モードに対応した選択肢と他の印刷モードに対応した選択肢とを選択可能な状態で表示する領域を備えた印刷設定画面を表示する処理と、
生成した画像データとともに、選択された印刷モードに対応する情報を出力する処理とをコンピュータに実行させることを特徴とする印刷用ソフトウェアが提供される。
【００１５】
本発明によれば、簡易な操作によりユーザは高画質印刷を指示することができるようになる。
【００１６】
また、前記印刷設定画面は、より高画質で印刷が行なわれる印刷モードに対応した表示を指定可能な状態で表示する領域をさらに備えることが望ましい。
【００１７】
これにより、いずれの操作によっても高画質印刷を指示することができる。
【００１８】
この場合、前記より高画質で印刷が行なわれる印刷モードに対応した選択肢と他の印刷モードに対応した選択肢とを選択可能な状態で表示する領域と、前記より高画質で印刷が行なわれる印刷モードに対応した表示を指定可能な状態で表示する領域とにおいて、
より高画質で印刷が行なわれる印刷モードに対応した選択肢の選択と、より高画質で印刷が行なわれる印刷モードに対応した表示の指定とが連動することが望ましい。
【００１９】
さらに、より高画質で印刷が行なわれる印刷モードで印刷が行なわれる際に、警告を通知する処理をさらにコンピュータに実行させることが望ましい。高画質印刷後記録メディアは、通常の印刷よりも取り扱いに注意が必要だからである。
【００２０】
本発明は、インクジェット式の印刷装置について効果的に適用することができる。インクを用いた印刷の仕上がりは、記録媒体のレーベル面のコーティングによる影響が大きく、また、レーベル面のコーティングに吐出したインクは、高画質印刷ほど乾燥までに時間を要するためである。
【００２１】
前記警告は、具体的には、インクを十分乾燥させる旨および／またはインクが乾燥するまで前記記録媒体を駆動させない旨を含むことができる。
【発明を実施するための最良の形態】
【００２２】
本発明の実施の形態について図面を参照して説明する。
【００２３】
図１は、本発明の構成の概要を示すブロック図である。コンピュータ５０とプリンタ１０とを備えて構成される印刷システム１が、コンピュータネットワーク、例えば、インターネット７０に接続され、インターネット７０上で提供される種々のサービスの利用、例えば、Ｗｅｂページの閲覧、電子情報の送受信等を行なうことができるようになっている。
【００２４】
インターネット７０には、サーバコンピュータ６０が接続され、電子情報の提供、例えば、Ｗｅｂサイトの開設、ファイルの送信等のサービスを行なっている。本実施例において、サーバコンピュータ６０による電子情報の提供は、プリンタ１０のメーカあるいはプリンタ１０についてのサービス業者が行なうことが望ましい。サーバコンピュータ６０が提供している電子情報の内容については後述する。
【００２５】
図２は、コンピュータ５０とプリンタ１０とを備えて構成される印刷システム１のハードウェア構成の概要を示すブロック図である。
【００２６】
本図に示すように、印刷システムは、アプリケーションによる各種処理、プリンタドライバによる印刷処理等を実現するためのコンピュータ５０と、このコンピュータ５０に接続されるディスク型記録媒体印刷対応プリンタ１０（以下、単に「プリンタ１０」とも記す）とを備えて構成される。本実施形態において、コンピュータ５０は、印刷データを生成し、プリンタ１０に送信するプリンタホストとして機能する。一方、プリンタ１０は、コンピュータ５０から送られた印刷データに基づいて印刷を行なう印刷装置である。プリンタ１０は、定形の印刷用紙等に加え、ＣＤ−Ｒ、ＤＶＤ−Ｒ等のディスク型記録媒体のレーベル面に印刷を行なうための機能を備えている。以下では、ＣＤ−Ｒのレーベル面に印刷する場合を例に説明する。
【００２７】
コンピュータ５０は、各種プログラムに基づいて処理を行うＣＰＵ（Central Processing Unit）５１、データおよびプログラム等を一時的に記憶するＲＡＭ（Random Access Memory）５２、コンピュータ５０を制御するための各種データ、起動時用プログラム等があらかじめ不揮発的に記憶されているＲＯＭ（Read Only Memory）５３、および、接続されたプリンタ１０等の周辺装置とのデータの送受信をつかさどるインタフェース５４を備えている。
【００２８】
また、コンピュータ５０には、カラーディスプレイ等の表示装置６１、マウス、キーボード等の入力装置６２、ＣＤ−ＲＯＭ等の記録媒体からデータを読み取るメディア読取装置６３、および、内蔵または外付けの補助記憶装置６４、インターネット等のコンピュータネットワークに接続するための通信制御装置６５が接続されている。
【００２９】
プリンタ１０は、例えば、インクジェット方式のカラープリンタである。インクジェット方式のカラープリンタは、筐体内にインクを充填したインクカートリッジを複数備え、このインクを印刷ヘッドから印刷用紙、ＣＤ−Ｒ等の印刷媒体に吹き付けて印刷を行なう。
【００３０】
プリンタ１０は、データの受信等、コンピュータ５０との通信をつかさどるインタフェース１１と、印刷データ、各種プログラム等に基づいて処理を行なうＣＰＵ１２と、印刷データ等を一時的に記憶するＲＡＭ１３と、プリンタ１０を制御するための各種データ、各種プログラム等があらかじめ不揮発的に記憶されているＲＯＭ１４と、インクを吐出する印刷ヘッド、印刷ヘッドを搭載するキャリッジを駆動するキャリッジ駆動機構等からなる印刷機構１５と、印刷用紙等の給排紙を行なう給排紙機構１６とを備えて構成される。
【００３１】
本実施の形態で用いられるプリンタ１０がＣＤ−Ｒレーベル印刷を行なう場合の印刷機構１５および給排紙機構１６の概略について図３を参照して説明する。
【００３２】
図３は、プリンタ１０を上部から見たときの構成の概要を示している。ＣＤ−Ｒレーベル印刷を行なう場合には、ＣＤ−Ｒ６０をＣＤ／ＤＶＤトレイ３０にセットする。そして、ＣＤ／ＤＶＤトレイ３０をプリンタ１０本体に設けられたガイド４０に沿って、プリンタ１０の本体に挿入する。
【００３３】
プリンタ１０は、複数のインクカートリッジを装着するキャリッジ２１と、キャリッジ２１に支持されるインクジェット式の印刷ヘッド２２と、主走査方向に往復運動するキャリッジ２１を支持する支持棒２４と、ＣＤ／ＤＶＤトレイ３０を副走査方向に送ったり、プリンタ１０外に排出したりするための送り機構（図示せず）とを備えている。
【００３４】
図示しないキャリッジモータにより往復運動するキャリッジ２１には、ＣＤ／ＤＶＤトレイ３０と対向する面にインクジェット式の印刷ヘッド２２が取り付けられている。印刷ヘッド２２は、インクカートリッジからインクの補給を受け、キャリッジ２１の移動に合わせてＣＤ／ＤＶＤトレイ３０に載せられてＣＤ−Ｒ６０のレーベル面にインク滴を吐出してドットを形成し、ＣＤ−Ｒ６０のレーベル面に画像、文字等を印刷する。
【００３５】
次に、上記印刷システムによりコンピュータ５０およびプリンタ１０に実現される機能構成について、図４の機能ブロック図を参照して説明する。
【００３６】
本図に示すように、コンピュータ５０上には、レーベル印刷プログラム部５１０とプリンタドライバ部５２０とＷｅｂブラウザ部５３０とが構築される。
【００３７】
レーベル印刷プログラム部５１０は、本印刷システムでＣＤ−Ｒレーベル印刷を行なう際の、印刷条件の設定、画像の作成・編集等を支援するための処理を行なう。また、レーベル印刷プログラム部５１０は、印刷条件の設定を受け付ける際にコンピュータ５０内部あるいは外部に記憶されている高品質印刷に対応したメディアのリストを参照して、表示するための処理を行なう。
【００３８】
このため、レーベル印刷プログラム部５１０は、画像の作成・編集機能を有する画像処理部５１１と、プリンタドライバ部５２０とのインタフェース機能を有するドライバインタフェース部５１２と、印刷条件受付部５１３と、レーベル印刷プログラム部５１０における各種処理を制御する制御部５１４とを備えている。
【００３９】
レーベル印刷プログラム部５１０は、ＲＡＭ５２にロードされたレーベル印刷アプリケーションプログラムを、ＣＰＵ５１が実行することによりコンピュータ５０上に構築される。
【００４０】
プリンタドライバ部５２０は、レーベル印刷プログラム部５１０が生成・設定した画像データを読み込んで、プリンタ１０が解釈できる形式の印刷データに変換し、インタフェース５４を介してプリンタ１０に送信する機能を有している。印刷データへの変換においては、具体的には、読み込んだ画像データをドットの集合体であるイメージデータに展開するラスタライズ処理と、イメージデータの色変換処理および中間調処理を行なうハーフトーン処理と、処理後のイメージデータを印刷データに変換する処理とが行なわれる。
【００４１】
プリンタドライバ部５２０は、画像データから印刷データへの変換に関し、高画質の印刷を行なう高画質モードと通常の画質での印刷を行なう通常モードとの、少なくとも２通りの印刷データを印刷設定に基づいて選択的に行なうことができる。高画質モードでは、通常モードよりも多量のインクを用いて印刷を行ない、より高品質の印刷結果を得ることができる。このため、高画質モードで印刷を行なった場合には、通常モードに比べてインクが乾くまでの時間が余計かかることになる。
【００４２】
プリンタドライバ部５２０は、ＲＡＭ５２にロードされたプリンタドライバプログラムを、ＣＰＵ５１が実行することによりコンピュータ５０上に構築される。
【００４３】
Ｗｅｂブラウザ部５３０は、インターネット７０上で提供されているＷｅｂページを閲覧等するための処理を行なう。Ｗｅｂブラウザ部５３０は、汎用のＷｅｂブラウザソフトウェアをＣＰＵ５１が実行することによりコンピュータ５０上に構築される。
【００４４】
レーベル印刷アプリケーションプログラムあるいはプリンタドライバプログラムは、例えば、ＣＤ−ＲＯＭ等の可搬型の記録媒体に記録することで流通させることができる。そして、この記録媒体を、メディア読取装置６３で読み取ることにより、コンピュータ５０にプログラムをインストールすることができる。また、例えば、インターネット７０を介してコンピュータ５０にインストールすることもできる。
【００４５】
図４において、プリンタ１０上には、印刷制御部１１０および印刷実行部１２０が構築される。
【００４６】
印刷制御部１１０は、コンピュータ５０から送信された印刷データを解釈して、印刷データに基づく印刷をプリンタ１０で実行するための制御を行なう。印刷制御部１２０は、ＲＡＭ１３が読み込んだプログラムおよび印刷データに基づいて、ＣＰＵ１２が処理を行なうことによりプリンタ１０上に構築される。
【００４７】
印刷実行部１２０は、印刷制御部１１０の指示にしたがって、ＣＤ−Ｒ６０のレーベルに対する印刷を実行する。印刷実行部１２０は、印刷機構１５、給排紙機構１６がそれぞれの処理を行なうことでプリンタ１０上に構築される。
【００４８】
次に、レーベル印刷プログラム部５１０の処理について説明する。
【００４９】
ユーザは、レーベル印刷プログラム部５１０の画像処理部５１１を用いて、印刷領域に印刷する画像を生成・編集することができる。画像処理部５１１は、ＣＤ−Ｒのレーベル領域に対応した画像を表示して、ユーザからの画像生成・編集に関する指示を受け付ける。かかる画像処理は、従来行なわれている技術を用いることができるため、説明は省略する。
【００５０】
画像処理部５１１を用いて印刷すべき画像が得られると、ユーザは、レーベル印刷を実行することができる。印刷の実行に際しては、印刷条件を設定することができる。
【００５１】
印刷条件の設定受け付け処理では、レーベル印刷プログラム部５１０の印刷条件受付部５１３が印刷設定画面を表示する。
【００５２】
図５は、印刷設定画面の一例を示す図である。本図に示すように印刷設定画面３００は、生成・編集した画像を表示する領域３１０と印刷条件に関する設定を行なう印刷設定領域３２０とを備えている。
【００５３】
印刷設定領域３２０では、いわゆるプルダウンメニュー形式のメディア種類選択メニュー３２１において印刷メディアを選択できるようになっている。本実施例において印刷メディアは「ＣＤ／ＤＶＤレーベル」および「高画質対応ＣＤ／ＤＶＤレーベル」のいずれかが選択できる。ユーザは、印刷メディアが高画質印刷に対応したＣＤ等であって高画質印刷を希望する場合には、メディア種類選択メニュー３２１で「高画質対応ＣＤ／ＤＶＤレーベル」を選択することにより、「ＣＤ／ＤＶＤレーベル」を選択した場合より高品質の印刷結果を得ることができる。すなわち、「高画質対応ＣＤ／ＤＶＤレーベル」が選択されたときは、高画質モードで印刷が行なわれ、「ＣＤ／ＤＶＤレーベル」が選択されたときは、通常モードで印刷が行なわれる。
【００５４】
また、印刷設定画面３００では、プルダウンメニュー形式による選択とは別に、いわゆるチェックボックスにチェックを入力することで高画質印刷を指定することもできるようになっている。印刷設定画面には、このための「高画質対応ＣＤ／ＤＶＤ」チェックボックス３２２が設けられている。
【００５５】
なお、メディア種類選択メニュー３２１と「高画質対応ＣＤ／ＤＶＤ」チェックボックス３２２とは連動しており、一方での選択あるいは指定／解除操作により他方についても自動的に指定／解除あるいは選択がなされる。
【００５６】
このように、本実施例では、ＣＤ−Ｒ等のレーベル印刷について、高画質印刷の実行の有無を簡易な操作で指定することができる。
【００５７】
ところで、ユーザにとって、印刷しようとしている印刷メディアが高画質印刷に対応しているかどうかの判断は、一般には困難である。
【００５８】
このため、印刷設定画面３００には「対応品リスト」ボタン３２３が設けられている。「対応品リスト」ボタン３２３のクリックを受け付けると、印刷条件受付部５１３は、プリンタ１０のメーカあるいはプリンタ１０についてのサービス業者が、市販されているＣＤ−Ｒ等のうち、高品質印刷に対応していると認定した製品のリストを画面上に表示する。
【００５９】
図６は、高画質対応ＣＤ／ＤＶＤリスト表示画面の一例を示す図である。
【００６０】
このリストは、例えば、レーベル印刷プログラム部５１０が管理し、コンピュータ５０内部に記憶しておくようにすることができる。また、最新の情報を取得するため、例えば、インターネット７０を介してサーバコンピュータ６０と通信を行なって取得するようにすることができる。高画質対応ＣＤ／ＤＶＤリスト表示画面３５０には、このための「最新の情報に更新」ボタン３５２が備えられている。なお、プリンタ１０のメーカあるいはプリンタ１０についてのサービス業者は、サーバコンピュータ６０で、高品質印刷に対応していると認定した製品についての最新の情報を提供するものとする。
【００６１】
あるいはリストはコンピュータ５０内部には備えないようにしてもよい。この場合、印刷設定画面３００上で「対応品リスト」ボタン３２３のクリックを受け付けると、印刷設定受付部５１３は、Ｗｅｂブラウザ部５３０を起動して、サーバコンピュータ６０が開設するＷｅｂページにアクセスしてリストを表示させるようにしてもよい。
【００６２】
ユーザは、印刷しようとしている印刷メディアがリストに登録されているかどうかを調べ、登録されている場合には高画質対応ＣＤ／ＤＶＤを選択することにより、高画質のレーベル印刷結果を得ることができる。
【００６３】
また、印刷メディアの商品名、あるいは、製品に付されているコード等をサーバコンピュータ６０に送信して、サーバコンピュータ６０が、その印刷メディアが高画質印刷に対応しているかどうかを判定して、その判定結果を返信するようにしてもよい。この場合、判定結果に基づいて、自動的に印刷設定画面３００における「高画質対応ＣＤ／ＤＶＤ」の選択が行なわれるようにすることができる。
【００６４】
印刷設定画面３００で「印刷」ボタン３２４のクリックを受け付けると、制御部５１４は、「高画質対応ＣＤ／ＤＶＤ」が指定されているかどうかを判断する。
【００６５】
その結果、「高画質対応ＣＤ／ＤＶＤ」が指定されている場合には、レーベル印刷プログラム部５１０は、ユーザに対してインクが十分乾燥するまで使用しないように警告を通知する。これは、高画質印刷、すなわち、高画質モードで印刷を行なった場合には、通常モードでの印刷時よりも多量のインクを使用するため、インクが乾燥するまで時間を要するからである。警告の通知は、例えば、図７に示すような画面を表示することで行なう。本例では、「［高画質対応ＣＤ/ＤＶＤ］が設定されました。標準品と同様に印刷後は２４時間以上乾燥させてください。また、乾燥するまではＣＤ−ＲＯＭドライブなどの機器にセットしないでください。」という表示により、ユーザに対して警告を行なっている。もちろん、警告の通知内容はこれに限られない。
【００６６】
一方、「高画質対応ＣＤ／ＤＶＤ」が指定されていない場合、および、上記警告を通知した後には、レーベル印刷プログラム部５１０のドライバインタフェース部５１２は、生成・編集した画像データと、印刷設定領域での設定内容、すなわち、「高画質対応ＣＤ／ＤＶＤ」の指定の有無に基づく高画質モードあるいは通常モードの指定とをプリンタドライバ部５２０に出力する。なお、この際、コンピュータ５０のオペレーティングシステム（図示せず）を介して出力するようにしてもよい。
【００６７】
レーベル印刷プログラム部５１０からの画像データおよび高画質モードあるいは通常モードの指定を受信したプリンタドライバ部５２０は、受け付けた画像データに基づいて印刷データを生成する。この際、高画質モードあるいは通常モードに応じた画像データ生成処理を行なう。そして、生成した画像データをプリンタ１０に出力する。これに応じて、ＣＤ−Ｒ等のメディアがセットされたプリンタ１０が、印刷データに基づく印刷を実行することによりレーベル印刷が行なわれる。
【００６８】
なお、上記の例では、警告の通知方法として警告を表示するようにしていたが、これに限られず、音声、その他の方法でユーザに警告を通知するようにすることができる。また、警告通知後に、ユーザがレーベル印刷を中止できるようにしてもよい。
【００６９】
また、近年では、ＣＤ、ＤＶＤ等の記録メディアは円形に限られず、カード型、台形等の種々の平板型が実用化されているが、本発明はいずれの形状にも適用することができる。
【図面の簡単な説明】
【００７０】
【図１】本発明の構成の概要を示すブロック図。
【図２】印刷システムのハードウェア構成の概要を説明するためのブロック図。
【図３】プリンタ１０を上部から見たときの構成の概要を示す図。
【図４】印刷システムの機能構成を示すブロック図。
【図５】印刷設定画面の一例を示す図。
【図６】高画質対応ＣＤ／ＤＶＤリスト表示画面の一例を示す図。
【図７】警告通知画面の一例を示す図。
【符号の説明】
【００７１】
１０…ディスク型記録媒体印刷対応プリンタ、１１…インタフェース、１２…ＣＰＵ、１３…ＲＡＭ、１４…ＲＯＭ、１５…印刷機構、１６…給排紙機構、２１…キャリッジ、２２…印刷ヘッド、２４…支持棒、３０…ＣＤ／ＤＶＤトレイ、４０…ガイド、５０…コンピュータ、５１…ＣＰＵ、５２…ＲＡＭ、５３…ＲＯＭ、５４…インタフェース、６０…サーバコンピュータ、６１…表示装置、６２…入力装置、６３…メディア読取装置、６４…補助記憶装置、６５…通信制御装置、７０…インターネット、１１０…印刷制御部、１２０…印刷実行部、５１０…レーベル印刷プログラム部、５１１…画像処理部、５１２…ドライバインタフェース部、５１３…印刷設定受付部、５１４…制御部、５２０…プリンタドライバ部
【図１】
2005085211.tif 000003
【図２】
2005085211.tif 000004
【図３】
2005085211.tif 000005
【図４】
2005085211.tif 000006
【図５】
2005085211.tif 000007
【図６】
2005085211.tif 000008
【図７】
2005085211.tif 000009